(57)【要約】【解決手段】    固定窓（Ｍ）を一つ有し、固定窓（Ｍ）をセパレート型便座クッション（Ｃ）と便座クッション固定孔の間に挟むことにより、便座裏面に強固に固定する機能を具備し、便座の外側に延伸したレバー部を操作することにより、簡便に便座の昇降を可能とする機能を具備する便座昇降レバーであって、前記固定窓のパラメーターである、Ｌ（固定用窓の長さ）、Ｒ（固定用窓両端の穿孔半径）、Ｗ（便座昇降レバーの幅）、Ｄ（便座昇降レバーの厚み）、及び、Ｎ（便座昇降レバーの全長）が、特定の数値範囲であることを特徴とする便座昇降レバー。【効果】  便座昇降レバーを使用することにより、便座の昇降操作を衛生的かつ簡便にすることができる。【選択図】  図８
2010220724.tif 000002
【特許請求の範囲】
【請求項１】
固定窓（Ｍ）を一つ有し、固定窓（Ｍ）を
セパレート型便座クッション（Ｃ）
と
便座クッション固定孔
の間に挟むことにより、
便座裏面に強固に固定する機能を具備し、便座の外側に延伸したレバー部を操作することにより、簡便に便座の昇降を可能とする機能を具備する便座昇降レバーであって、
前記固定窓を規定するパラメーターである、
Ｌ（固定用窓の長さ）、
Ｒ（固定用窓両端の穿孔半径）、
Ｗ（便座昇降レバーの幅）、
Ｄ（便座昇降レバーの厚み）、
及び、
Ｎ（便座昇降レバーの全長）が、
４０ミリメートル≦Ｌ≦７０ミリメートル、
７ミリメートル≦Ｒ≦１０ミリメートル、
２Ｒ＜Ｗ≦５０ミリメートル、
１ミリメートル≦Ｄ≦４ミリメートル、
及び、
５０ミリメートル≦Ｎ≦２００ミリメートル
であることを特徴とする便座昇降レバー。
【請求項２】
固定窓（Ｍ）のパラメーターである
Ｌ（固定用窓の長さ）、
Ｒ（固定用窓両端の穿孔半径）、
Ｗ（便座昇降レバーの幅）、
Ｄ（便座昇降レバーの厚み）、
及び、
Ｎ（便座昇降レバーの全長）
が、
４０ミリメートル≦Ｌ≦７０ミリメートル、
７ミリメートル≦Ｒ≦１０ミリメートル、
２Ｒ＜Ｗ≦５０ミリメートル、
１ミリメートル≦Ｄ≦４ミリメートル、
及び、
５０ミリメートル≦Ｎ≦２００ミリメートル
で規定される固定窓（Ｍ）を一つ有する便座昇降レバーを、
便座クッション固定孔との間に挟むことにより、
便座裏面に強固に固定する機能を有する
セパレート型便座クッション（Ｃ）であって、
セパレート型便座クッション（Ｃ）を規定するパラメーターである
凸部（Ｃ１）の最大直径（Ｃｒ１）、
中継部１（Ｓ１）の最大直径（Ｓｒ１）、
中継部２（Ｓ２）の最大直径（Ｓｒ２）、
中継部３（Ｓ３）の最大直径（Ｓｒ３）、
圧接部１（Ｔ１）の最大直径（Ｔｒ１）、
圧接部２（Ｔ２）の最大直径（Ｔｒ２）、
圧接部３（Ｔ３）の最大直径（Ｔｒ３）、
便座クッション（Ｃ）の全長（Ｃｈ０）、
凸部（Ｃ１）の全長（Ｃｈ１）、
陥入部（Ｃ２）の全長（Ｃｈ２）、
中継部１（Ｓ１）の全長（Ｓｈ１）、
中継部２（Ｓ２）の全長（Ｓｈ２）、
中継部３（Ｓ３）の全長（Ｓｈ３）、
圧接部１（Ｔ１）の全長（Ｔｈ１）、
圧接部２（Ｔ２）の全長（Ｔｈ２）、及び、
圧接部３（Ｔ３）の全長（Ｔｈ３）
が、
１６ミリメートル≦Ｃｒ１≦３０ミリメートル、
７ミリメートル≦Ｔｒ１≦１２ミリメートル、
７ミリメートル≦Ｔｒ２≦１２ミリメートル、
７ミリメートル≦Ｔｒ３≦１２ミリメートル、
４ミリメートル≦Ｓｒ１≦７ミリメートル、
４ミリメートル≦Ｓｒ２≦７ミリメートル、
４ミリメートル≦Ｓｒ３≦７ミリメートル、
Ｃｈ０＝Ｃｈ１＋Ｃｈ２、
４ミリメートル≦Ｃｈ１≦１０ミリメートル、
９ミリメートル≦Ｃｈ２≦１８ミリメートル、
１ミリメートル≦Ｓｈ１≦８ミリメートル、
１ミリメートル≦Ｓｈ２≦８ミリメートル、
１ミリメートル≦Ｓｈ３≦８ミリメートル、
１ミリメートル≦Ｔｈ１≦８ミリメートル、
１ミリメートル≦Ｔｈ２≦８ミリメートル、
１ミリメートル≦Ｔｈ３≦８ミリメートル、及び、
Ｃｈ２＝Ｓｈ１＋Ｓｈ２＋Ｓｈ３＋Ｔｈ１＋Ｔｈ２＋Ｔｈ３
であることを特徴とする
セパレート型便座クッション。
【発明の詳細な説明】
【技術分野】
【０００１】
本発明は、便座の裏面に取り付けることにより、便座の昇降操作を衛生的かつ簡便にすることができる便座昇降レバーに関する。
【背景技術】
【０００２】
従来の技術において、便座の昇降操作を衛生的かつ簡便にするための便座昇降レバーは、足踏み式等、機構が複雑であったり、取り付け方法が煩雑なものしかなかった。
【０００３】
従って、従来の技術においては、便座の昇降操作を衛生的かつ簡便にすることができる便座昇降レバーが存在しないのが現状である。
【０００４】
【特許文献１】特開２００１−０６１７０７号
【特許文献２】特開２０００−１７５８４５号
【特許文献３】特開２００３−２９９５９７号
【特許文献４】特開２００３−１６６２７８号
【発明の開示】
【発明が解決しようとする課題】
【０００５】
本出願に係る発明が解決しようとする課題は、便座の昇降操作を衛生的かつ簡便にすることができる便座昇降レバーを提供することである。
【０００６】
本発明者は、既に、特許第４２４７９２６号（発明の名称；便座昇降レバー、出願番号；特願２００８−１９９８９３号、出願日；平成２０年０８月０１日）において、本願発明と類似した発明を完成している。
特許第４２４７９２６号に開示されている発明は、発明の効果に優れたものである。
【０００７】
そして、洋式便器に取り付けられている便座の殆どのものについては、特許第４２４７９２６号に係る発明である便座昇降レバーを取り付けることが可能である。
然るに、洋式便器に取り付けられている便座のうち、低い頻度ではあるが、特に古いタイプのものと、極最近のタイプものの中には、特許第４２４７９２６号に係る発明である便座昇降レバーを取り付けることが困難な規格の便座クッションと便座クッション固定孔のものがある。
即ち、便座クッション固定孔の孔間距離と、便座クッションのゴム製筍状凸部距離が、広すぎたり、狭すぎたりして、特許第４２４７９２６号に係る発明である便座昇降レバーを取り付けることが困難となる。
【０００８】
このような背景から、本願発明が解決しようとする課題は、特許第４２４７９２６号に係る発明である便座昇降レバーを取り付けることが困難な規格の便座クッションと便座クッション固定孔を備えた便座のみならず、特許第４２４７９２６号に係る発明である便座昇降レバーを取り付けることが可能な規格の便座クッションと便座クッション固定孔を備えた便座についても、便座昇降レバーを取り付けることを可能とすることである。
【発明の効果】
【０００９】
［発明の効果〜１］
本出願に係る便座昇降レバーを使用することにより、便座の昇降操作を衛生的かつ簡便にすることができる。
【００１０】
［発明の効果〜２］
『発明特定事項〜１』として、
本出願に係る便座昇降レバーを規定する固定窓のパラメーター（図８参照）
Ｌ（固定用窓の長さ）、
Ｒ（固定用窓両端の穿孔半径）、
Ｗ（便座昇降レバーの幅）、
Ｄ（便座昇降レバーの厚み）、及び、
Ｎ（便座昇降レバーの全長）
を、
４０ミリメートル≦Ｌ≦７０ミリメートル、
７ミリメートル≦Ｒ≦１０ミリメートル、
２Ｒ＜Ｗ≦５０ミリメートル、
１ミリメートル≦Ｄ≦４ミリメートル、
及び、
５０ミリメートル≦Ｎ≦２００ミリメートル
とする要件を規定すると共に、
『発明特定事項〜２』として、
本願発明独自のセパレート型便座クッション（Ｃ）を使用して、
便座昇降レバーの固定窓（Ｍ）を、便座クッション固定孔との間に挟み込むという要件を規定することにより、
特許第４２４７９２６号に係る発明である便座昇降レバーを取り付けることが困難な規格の便座クッションと便座クッション固定孔を備えた便座のみならず、特許第４２４７９２６号に係る発明である便座昇降レバーを取り付けることが可能な規格の便座クッションと便座クッション固定孔を備えた便座についても、便座昇降レバーを取り付けることを可能としたことである。
【００１１】
［発明の効果〜３］
便座昇降レバーを、便座裏面に簡便且つ強固に固定することができる。
【００１２】
［発明の効果〜４］
便座の外側に延伸したレバー部を操作することにより、便座の昇降操作を衛生的かつ簡便にすることができる。
【課題を解決するための手段】
【００１３】
本出願に係る発明における課題を解決するための手段は、以下に記述する「請求項１」及び「請求項２」に記載したとおりである。
特許第４２４７９２６号に係る発明である便座昇降レバーを取り付ける場合には、市販の一般的な一体型便座クッションを使用しているのとは対照的に、本願発明の便座昇降レバーを取り付ける場合には、本願発明独自のセパレート型便座クッション（Ｃ）を使用することが特徴である（図５〜図６）。
【００１４】
本願発明は、以下の請求項１及び請求項２に記載した事項により特定される。
［請求項１］
固定窓（Ｍ）を一つ有し、固定窓（Ｍ）を
セパレート型便座クッション（Ｃ）
と
便座クッション固定孔
の間に挟むことにより、
便座裏面に強固に固定する機能を具備し、便座の外側に延伸したレバー部を操作することにより、簡便に便座の昇降を可能とする機能を具備する便座昇降レバーであって、
前記固定窓を規定するパラメーターである、
Ｌ（固定用窓の長さ）、
Ｒ（固定用窓両端の穿孔半径）、
Ｗ（便座昇降レバーの幅）、
Ｄ（便座昇降レバーの厚み）、
及び、
Ｎ（便座昇降レバーの全長）が、
４０ミリメートル≦Ｌ≦７０ミリメートル、
７ミリメートル≦Ｒ≦１０ミリメートル、
２Ｒ＜Ｗ≦５０ミリメートル、
１ミリメートル≦Ｄ≦４ミリメートル、
及び、
５０ミリメートル≦Ｎ≦２００ミリメートル
であることを特徴とする便座昇降レバー。
［請求項２］
固定窓（Ｍ）のパラメーターである
Ｌ（固定用窓の長さ）、
Ｒ（固定用窓両端の穿孔半径）、
Ｗ（便座昇降レバーの幅）、
Ｄ（便座昇降レバーの厚み）、
及び、
Ｎ（便座昇降レバーの全長）
が、
４０ミリメートル≦Ｌ≦７０ミリメートル、
７ミリメートル≦Ｒ≦１０ミリメートル、
２Ｒ＜Ｗ≦５０ミリメートル、
１ミリメートル≦Ｄ≦４ミリメートル、
及び、
５０ミリメートル≦Ｎ≦２００ミリメートル
で規定される固定窓（Ｍ）を一つ有する便座昇降レバーを、
便座クッション固定孔との間に挟むことにより、
便座裏面に強固に固定する機能を有する
セパレート型便座クッション（Ｃ）であって、
セパレート型便座クッション（Ｃ）を規定するパラメーターである
凸部（Ｃ１）の最大直径（Ｃｒ１）、
中継部１（Ｓ１）の最大直径（Ｓｒ１）、
中継部２（Ｓ２）の最大直径（Ｓｒ２）、
中継部３（Ｓ３）の最大直径（Ｓｒ３）、
圧接部１（Ｔ１）の最大直径（Ｔｒ１）、
圧接部２（Ｔ２）の最大直径（Ｔｒ２）、
圧接部３（Ｔ３）の最大直径（Ｔｒ３）、
便座クッション（Ｃ）の全長（Ｃｈ０）、
凸部（Ｃ１）の全長（Ｃｈ１）、
陥入部（Ｃ２）の全長（Ｃｈ２）、
中継部１（Ｓ１）の全長（Ｓｈ１）、
中継部２（Ｓ２）の全長（Ｓｈ２）、
中継部３（Ｓ３）の全長（Ｓｈ３）、
圧接部１（Ｔ１）の全長（Ｔｈ１）、
圧接部２（Ｔ２）の全長（Ｔｈ２）、及び、
圧接部３（Ｔ３）の全長（Ｔｈ３）
が、
１６ミリメートル≦Ｃｒ１≦３０ミリメートル、
７ミリメートル≦Ｔｒ１≦１２ミリメートル、
７ミリメートル≦Ｔｒ２≦１２ミリメートル、
７ミリメートル≦Ｔｒ３≦１２ミリメートル、
４ミリメートル≦Ｓｒ１≦７ミリメートル、
４ミリメートル≦Ｓｒ２≦７ミリメートル、
４ミリメートル≦Ｓｒ３≦７ミリメートル、
Ｃｈ０＝Ｃｈ１＋Ｃｈ２、
４ミリメートル≦Ｃｈ１≦１０ミリメートル、
９ミリメートル≦Ｃｈ２≦１８ミリメートル、
１ミリメートル≦Ｓｈ１≦８ミリメートル、
１ミリメートル≦Ｓｈ２≦８ミリメートル、
１ミリメートル≦Ｓｈ３≦８ミリメートル、
１ミリメートル≦Ｔｈ１≦８ミリメートル、
１ミリメートル≦Ｔｈ２≦８ミリメートル、
１ミリメートル≦Ｔｈ３≦８ミリメートル、及び、
Ｃｈ２＝Ｓｈ１＋Ｓｈ２＋Ｓｈ３＋Ｔｈ１＋Ｔｈ２＋Ｔｈ３
であることを特徴とする
セパレート型便座クッション。
【００１５】
本出願に係る「特許請求の範囲」、「明細書」、及び、「図面」において用いる「便座クッション」、「一体型便座クッション」、「セパレート型便座クッション」及び「便座クッション固定用孔」について、図１〜図６に図解した。
【００１６】
図１には、便座側の便座クッション固定孔に固定された状態の便座クッション（市販の一般的な一体型便座クッション）の外観を示した。
【００１７】
図２には、便座クッションを固定するために便座に一体成形された便座クッション固定用孔、及び、便座の便座クッション固定用孔から取り外した状態の市販の一般的な便座クッションの外観を示した。
【００１８】
図３には、市販の一般的な便座クッションの側面写真、上面写真、及び、底面写真を示した。
【００１９】
図４には、市販の一般的な便座クッションの側面図、上面図、及び、底面図を示した。
【００２０】
図５では、市販の一般的な便座クッション（側面図、及び、底面図）と、本願発明独自のセパレート型便座クッション（Ｃ）（側面図、及び、底面図）を対比した。
【００２１】
図６では、市販の一般的な便座クッション（側面写真、上面写真、及び、底面写真）と、本願発明独自のセパレート型便座クッション（Ｃ）（側面写真、上面写真、及び、底面写真）を対比した。
【発明を実施するための最良の形態】
【００２２】
本出願に係る発明における最良の形態を、実施例１に示した。
【実施例１】
【００２３】
本出願に係る発明における好ましい態様のうちの一つ（固定用窓ひとつタイプ）を図５〜図６に図解した。
【実施例２】
【００２４】
本出願に係る発明における好ましい態様を図７〜図８に図解した。
【００２５】
実施例１に示した好ましい態様の取り付け手順を、図９〜図１０に図解した。
【００２６】
実施例１に示した好ましい態様の使用状態を、図１１に図解した。
【００２７】
実施例１に示した好ましい態様の使用手順を、図１２に図解した。
【００２８】
実施例１に示した好ましい態様における、便座昇降レバーの全長（Ｎ）の具体例を図１３に図解した。
【図面の簡単な説明】
【００２９】
【図１】便座側の便座クッション固定孔に固定された状態の便座クッション（市販の一般的な一体型便座クッション）の外観を示した。
【図２】便座クッションを固定するために便座に一体成形された便座クッション固定用孔、及び、便座の便座クッション固定用孔から取り外した状態の市販の一般的な便座クッションの外観を示した。
【図３】市販の一般的な便座クッションの側面写真、上面写真、及び、底面写真を示した。
【図４】市販の一般的な便座クッションの側面図、上面図、及び、底面図を示した。
【図５】市販の一般的な便座クッション（側面図、及び、底面図）と、本願発明独自のセパレート型便座クッション（Ｃ）（側面図、及び、底面図）を対比した。
【図６】市販の一般的な便座クッション（側面写真、上面写真、及び、底面写真）と、本願発明独自のセパレート型便座クッション（Ｃ）（側面写真、上面写真、及び、底面写真）を対比した。
【図７】実施例１の本出願に係る発明における好ましい態様（固定用窓ひとつタイプ）を示した。
【図８】本出願に係る発明におけるパラメーターを示した。
【図９】実施例１に示した好ましい態様の取り付け手順を示した。
【図１０】実施例１に示した好ましい態様の取り付け手順を示した。
【図１１】実施例１に示した好ましい態様の使用状態を示した。
【図１２】実施例１に示した好ましい態様の使用手順を示した。
【図１３】実施例１に示した好ましい態様における、便座昇降レバーの全長（Ｎ）の具体例を示した。
【図１４】セパレート型便座クッション（Ｃ）及び便座クッション固定用孔の各部の名称（側面断面図）を示した。
【図１５】セパレート型便座クッション（Ｃ）の各部の名称（側面断面図）を示した。
【図１６】本願発明に係るセパレート型便座クッション（Ｃ）を規定するパラメータを示した。
【図１７】本願発明に係るセパレート型便座クッション（Ｃ）を規定するパラメータを示した。
【符号の説明】
【００３０】
Ｍ；固定孔
Ｌ；固定用窓の長さ、又は、二つの固定用窓の両端の距離
（固定窓（Ｍ）を規定するパラメーターのうちの一つ）
Ｒ；固定用窓両端の穿孔半径
（固定窓（Ｍ）を規定するパラメーターのうちの一つ）
Ｗ：便座昇降レバーの幅
（固定窓（Ｍ）を規定するパラメーターのうちの一つ）
Ｄ；便座昇降レバーの厚み
（固定窓（Ｍ）を規定するパラメーターのうちの一つ）
Ｎ；便座昇降レバーの全長
（固定窓（Ｍ）を規定するパラメーターのうちの一つ）
Ｃ；便座クッション
Ｃ１；便座クッション（Ｃ）の凸部
Ｃ２；便座クッション（Ｃ）の陥入部
Ｓ１；中継部１
Ｓ２；中継部２
Ｓ３；中継部３
Ｔ１；圧接部１
Ｔ２；圧接部２
Ｔ３；圧接部３
Ｓｒ１；中継部１（Ｓ１）の最大直径
Ｓｒ２；中継部２（Ｓ２）の最大直径
Ｓｒ３；中継部３（Ｓ３）の最大直径
Ｔｒ１；圧接部１（Ｔ１）の最大直径
Ｔｒ２；圧接部２（Ｔ２）の最大直径
Ｔｒ３；圧接部３（Ｔ３）の最大直径
Ｃｈ０；便座クッション（Ｃ）の全長
Ｃｈ１；凸部（Ｃ１）の全長
Ｃｈ２；陥入部（Ｃ２）の全長
Ｓｈ１；中継部１（Ｓ１）の全長
Ｓｈ２；中継部２（Ｓ２）の全長
Ｓｈ３；中継部３（Ｓ３）の全長
Ｔｈ１；圧接部１（Ｔ１）の全長
Ｔｈ２；圧接部２（Ｔ２）の全長
Ｔｈ３；圧接部３（Ｔ３）の全長
【図１】
2010220724.tif 000003
【図２】
2010220724.tif 000004
【図３】
2010220724.tif 000005
【図４】
2010220724.tif 000006
【図５】
2010220724.tif 000007
【図６】
2010220724.tif 000008
【図７】
2010220724.tif 000009
【図８】
2010220724.tif 000010
【図９】
2010220724.tif 000011
【図１０】
2010220724.tif 000012
【図１１】
2010220724.tif 000013
【図１２】
2010220724.tif 000014
【図１３】
2010220724.tif 000015
【図１４】
2010220724.tif 000016
【図１５】
2010220724.tif 000017
【図１６】
2010220724.tif 000018
【図１７】
2010220724.tif 000019